(57)【要約】【課題】簡単且つ安価に短絡事故による過電流を防止可能にする。【解決手段】入力端子と出力端子と，少なくとも分配回路と電流通過回路を備えてなる回路部を設けたプリント配線板と，該プリント配線板を収納する筐体と，からなる分岐若しくは分配器において，前記電流通過回路には，所定電流と同じか若しくは低い電流が流れるときは通過し，該所定電流より高い遮断電流が流れるときは遮断するように構成された電流通過阻止手段を備えた。前記電流通過阻止手段は，前記遮断電流が流れたときに前記電流通過回路を断線する金属細線若しくはプリント配線パターンをエッチング成形してなるように構成し，しかも，前記電流通過回路の入力側高周波／電源分離フィルタを構成する高周波阻止用コイルの代わりとしての高周波阻止用コイル兼電流通過阻止手段を形成する。【選択図】  図６
2009105002.tif 000002
【特許請求の範囲】
【請求項１】
入力端子と，出力端子と，
該入力端子と出力端子との間に備える高周波信号を分岐若しくは分配する分岐若しくは分配回路と，前記入力端子と前記分岐若しくは分配回路の入力端との間に備える入力側高周波／電源分離フィルタと，前記分岐若しくは分配回路の出力端と前記出力端子の内の何れか若しくは全ての出力端子との間に備える出力側高周波／電源分離フィルタと，前記入力側高周波／電源分離フィルタの電源入出力端と前記出力側高周波／電源分離フィルタの電源入出力端とを接続する電流通過線路からなる電流通過回路を備えてなる回路部を設けたプリント配線板と，
該プリント配線板を収納する筐体と，
からなる分岐若しくは分配器において，
前記電流通過回路には，所定電流と同じか若しくは低い電流が流れるときは通過し，該所定電流より高い遮断電流が流れるときは遮断するように構成された電流通過阻止手段を備えたことを特徴とした分岐若しくは分配器。
【請求項２】
前記電流通過阻止手段は，前記遮断電流が流れたときに前記電流通過回路を断線する金属細線からなることを特徴とした請求項１に記載の分岐若しくは分配器。
【請求項３】
前記電流通過阻止手段は，前記電流通過線路を構成しているのプリント配線パターンの一部を使って前記金属細線を形成してなることを特徴とした請求項２に記載の分岐若しくは分配器。
【請求項４】
前記電流通過阻止手段は，少なくとも前記入力側高周波／電源分離フィルタを構成する高周波信号阻止用コイルを前記金属細線で形成してなることを特徴とした請求項２に記載の分岐若しくは分配器。
【請求項５】
前記電流通過阻止手段としての高周波信号阻止用コイルは，プリント配線パターンをエッチングすることによって形成してなることを特徴とした請求項４に記載の分岐若しくは分配器。
【請求項６】
前記電流通過回路には，直列接続してなる複数の前記電流通過阻止手段と，前記複数の電流通過阻止手段の内の少なくとも１つの電流通過阻止手段を短絡するためのショートバーと，を備えてなることを特徴とした請求項１から請求項５の何れか一項に記載の分岐若しくは分配器。
【請求項７】
前記複数の電流通過阻止手段は，それぞれ異なる遮断電流を有するように構成したことを特長とした請求項６に記載の分岐若しくは分配器。
【請求項８】
前記電流通過阻止手段はコネクタ等の接続手段を介して前記電流通過回路に接続されると共に，前記コネクタ等の接続手段に対して着脱自在に挿着できるように構成したことを特徴とした請求項１から請求項７の何れか一項に記載の分岐若しくは分配器。
【請求項９】
前記電流通過阻止手段の状態を前記筐体の外周から見られるように構成したことを特徴とした請求項２から請求項８の何れか一項に記載の分岐若しくは分配器。
【請求項１０】
前記電流通過回路を流れる電流の状態表示を行うための表示手段を備え，しかも，その表示手段は前記筐体の外周から見られるように構成したことを特徴とした請求項１から請求項９の何れか一項に記載の分岐若しくは分配器。
【発明の詳細な説明】
【技術分野】
【０００１】
本発明は，主にテレビ共同受信システムに利用される分岐若しくは分配器に関し，詳しくは電流通過回路付の分岐若しくは分配器の回路構成に関する。
【背景技術】
【０００２】
テレビ受信機器である分岐若しくは分配器において，同軸ケーブルに重畳された電流を入力側から出力側へ若しくは出力側から入力側へ通過させる必要がある場合は，電流通過回路を備える必要がある。ところが，この電流通過回路付の分岐若しくは分配器に接続されたケーブル若しくはこのケーブルに接続された機器の設置条件の不適合や，悪戯等が原因で短絡事故を起こす可能性が有り，この場合には，分岐若しくは分配器や前記機器類が発熱したり，煙が出たりするばかりでなく，ひどい場合は機器が破壊してしまうことになる。そこで，例えば従来例に示す分岐器のように，分岐回路における分岐出力端子と前記伝送ケーブルとの相互間を，正特性サーミスタを介在させた電流通過用回線で接続可能とし，しかも，前記正特性サーミスタが，コネクタを介して電流通過用回線に接続されると共に，前記コネクタに対して着脱自在となった分岐器が提案されており，これによって短絡事故によって過電流が流れるのを防止し，機器の破壊を防止するよう構成されている。
（例えば，特許文献１参照）
【０００３】
【特許文献１】特開平０９−０５５２６６号公報
【発明の開示】
【発明が解決しようとする課題】
【０００４】
しかし，従来例に示すような正特性サーミスタを介在させた電流通過回路付の分岐器によると，短絡事故によって過電流が流れるのを防止し，機器の破壊を防止することは可能になるものの，それぞれの出力端子に対応するように正特性サーミスタを設けることが必要となるので製品のコストが高いものとなる。つまり，従来例に示すような正特性サーミスタを備えた製品は，システムの安定運用を必要としているＣＡＴＶシステムにおいて，張り巡らされたケーブルに接続された機器の設置条件の不適合や，悪戯等が原因で短絡事故があったとしても，簡単にシステムダウンとなってしまってはいけなところに使用するには有用であるものの，例えば悪戯等がされる事が少ない，個別のテレビ受信システムに設置するような，民生用の安価な分岐若しくは分配器においては，製品コストが高くなるといった問題があるため，従来例に示すような構成の過電流防止対策を施したものは無かった。
そこで本願においては，こうした問題点を解決するためになされたものであり，
その目的は，電流通過回路付の分岐若しくは分配器を提供することにある。
他の目的は，簡単且つ安価に短絡事故による過電流を防止可能な電流通過回路付の分岐若しくは分配器を提供することにある。
【課題を解決するための手段】
【０００５】
上記課題を解決するために，請求項１の発明は，入力端子と，出力端子と，該入力端子と出力端子との間に備える高周波信号を分岐若しくは分配する分岐若しくは分配回路と，前記入力端子と前記分岐若しくは分配回路の入力端との間に備える入力側高周波／電源分離フィルタと，前記分岐若しくは分配回路の出力端と前記出力端子の内の何れか若しくは全ての出力端子との間に備える出力側高周波／電源分離フィルタと，前記入力側高周波／電源分離フィルタの電源入出力端と前記出力側高周波／電源分離フィルタの電源入出力端とを接続する電流通過線路からなる電流通過回路を備えてなる回路部を設けたプリント配線板と，該プリント配線板を収納する筐体と，からなる分岐若しくは分配器において，
前記電流通過回路には，所定電流と同じか若しくは低い電流が流れるときは通過し，該所定電流より高い遮断電流が流れるときは遮断するように構成された電流通過阻止手段を備えるように構成したものであり，それに対して請求項２の発明は，請求項１に記載の分岐若しくは分配器において，前記電流通過阻止手段は，前記遮断電流が流れたときに前記電流通過回路を断線する金属細線からなるように構成したものであリ，更に請求項３の発明は，請求項２に記載の分岐若しくは分配器の発明において，前記電流通過阻止手段は，前記電流通過線路を構成しているプリント配線パターンの一部を使って前記金属細線を形成するように構成したものである。
【０００６】
請求項４の発明は，請求項２に記載の分岐若しくは分配器において，前記電流通過阻止手段は，少なくとも前記入力側高周波／電源分離フィルタを構成する高周波信号阻止用コイルを前記金属細線で形成してなるように構成したものであり，更に，請求項５の発明は，請求項４に記載の分岐若しくは分配器において，前記電流通過阻止手段としての高周波信号阻止用コイルは，プリント配線パターンをエッチングすることによって形成してなるように構成したものである。
【０００７】
請求項６の発明は，請求項１から請求項５の何れか一項に記載の分岐若しくは分配器において，前記電流通過回路には，直列接続してなる複数の前記電流通過阻止手段と，前記複数の電流通過阻止手段の内の少なくとも１つの電流通過阻止手段を短絡するためのショートバーと，を備えるように構成したものであり，更に請求項７の発明は，請求項６の発明において，前記複数の電流通過阻止手段は，それぞれ異なる遮断電流を有するように構成したものである。
【０００８】
請求項８の発明は，請求項１から請求項７の何れか一項に記載の分岐若しくは分配器において，前記電流通過阻止手段はコネクタ等の接続手段を介して前記電流通過回路に接続されると共に，前記コネクタ等の接続手段に対して着脱自在に挿着できるように構成したものである。
【０００９】
請求項９の発明は，請求項２から請求項８の何れか一項に記載の分岐若しくは分配器において，前記電流通過阻止手段の状態を前記筐体の外周から見られるように構成したものである。
【００１０】
請求項１０の発明は，請求項１から請求項９の何れか一項に記載の分岐若しくは分配器において，前記電流通過回路を流れる電流の状態表示を行うための表示手段を備え，しかも，その表示手段は前記筐体の外周から見られるように構成したものである。
【発明の効果】
【００１１】
請求項１の発明によれば，入力端子と，出力端子と，該入力端子と出力端子との間に備える高周波信号を分岐若しくは分配する分岐若しくは分配回路と，前記入力端子と前記分岐若しくは分配回路の入力端との間に備える入力側高周波／電源分離フィルタと，前記分岐若しくは分配回路の出力端と前記出力端子の内の何れか若しくは全ての出力端子との間に備える出力側高周波／電源分離フィルタと，前記入力側高周波／電源分離フィルタの電源入出力端と前記出力側高周波／電源分離フィルタの電源入出力端とを接続する電流通過線路からなる電流通過回路を備えてなる回路部を設けたプリント配線板と，該プリント配線板を収納する筐体と，からなる分岐若しくは分配器において，
前記電流通過回路には，所定電流と同じか若しくは低い電流が流れるときは通過し，該所定電流より高い遮断電流が流れるときは遮断するように構成された電流通過阻止手段を備えるように構成したので，例えば悪戯等がされる事が少ない，個別のテレビ受信システムに設置するような，民生用の安価な分岐若しくは分配器であっても，コストを大幅に上げることなく短絡事故などによる過電流防止対策を施した分岐若しくは分配器を提供することができる。
それに対して請求項２の発明によれば，請求項１に記載の分岐若しくは分配器において，前記電流通過阻止手段は，前記遮断電流が流れたときに前記電流通過回路を断線する金属細線からなるように構成したので，過電流阻止用の特別高価な素子が無くとも過電流防止対策を簡単且つ安価に構成することができる。
更に請求項３の発明によれば，請求項２に記載の分岐若しくは分配器の発明において，前記電流通過阻止手段は，前記電流通過線路を構成しているのプリント配線パターンの一部を使って前記金属細線を形成するように構成したので，電流通過阻止手段がプリント配線板のパターンエッチング成形と同時に形成できるのでコストが更に安価にできる。
【００１２】
請求項４の発明によれば，請求項２に記載の分岐若しくは分配器において，前記電流通過阻止手段は，少なくとも前記入力側高周波／電源分離フィルタを構成する高周波信号阻止用コイルを前記金属細線で形成してなるように構成したので，余分に電流通過阻止手段を必要としないので回路構成が簡単にできる。
更に，請求項５の発明によれば，請求項４に記載の分岐若しくは分配器において，前記電流通過阻止手段としての高周波信号阻止用コイルは，プリント配線パターンをエッチングすることによって形成してなるように構成したので，アキシャルタイプの部品である高周波信号阻止用コイルが不要となり回路構成が簡単にできるばかりでなく組み付け工数の低減化が図れ，また，電流通過阻止手段がプリント配線板のパターンエッチング成形と同時に形成できるのでコストが安価にできる。
【００１３】
請求項６の発明の発明によれば，請求項１から請求項５の何れか一項に記載の分岐若しくは分配器において，前記電流通過回路には，直列接続してなる複数の前記電流通過阻止手段と，前記複数の電流通過阻止手段の内の少なくとも１つの電流通過阻止手段を短絡するためのショートバーと，を備えるように構成し，また，請求項７の発明によれば，請求項６の発明において，前記複数の電流通過阻止手段は，それぞれ異なる遮断電流を有するように構成したので，前記ショートバーと電流通過阻止手段とを組み合わせることによって，例えば，主たる電流通過阻止手段とショートバーによって短絡した予備の電流通過阻止手段が形成でき，しかも主たる電流通過阻止手段が遮断した後であっても，電流通過回路が遮断された原因が取除かれた後ならば，ショートバーの切換操作によって予備の電流通過阻止手段が使えるようになり，分岐若しくは分配器を正常状態に戻すことができるといった利便性の優れたものとすることができる。
【００１４】
請求項８の発明によれば，請求項１から請求項７の何れか一項に記載の分岐若しくは分配器において，前記電流通過阻止手段はコネクタ等の接続手段を介して前記電流通過回路に接続されると共に，前記コネクタ等の接続手段に対して着脱自在に挿着できるように構成したので，電流通過回路が遮断された原因が取除かれた後ならば，電流通過阻止手段の簡単な交換操作によって，分岐若しくは分配器が簡単に正常状態に戻すことができる。
【００１５】
請求項９の発明によれば，請求項２から請求項８の何れか一項に記載の分岐若しくは分配器において，前記電流通過阻止手段の状態を前記筐体の外周から見られるように構成したので，電流通過阻止手段を構成する金属細線やプリント配線パターン等の状態が簡単かつ容易に視認ができる利便性の良い分配器が提供できる。
【００１６】
請求項１０の発明によれば，請求項１から請求項９の何れか一項に記載の分岐若しくは分配器において，前記電流通過回路を流れる電流の状態表示を行うための表示手段を備え，しかも，その表示手段は前記筐体の外周から見られるように構成したので，これによって，電通異常がケースの外側からであっても簡単に確認できるようにすることができる。
【発明を実施するための最良の形態】
【００１７】
以下に，本発明を具体化した実施形態の例を，図面を基に詳細に説明する。
図１は本発明に係る分配器を説明するための概略構成図であり，図２は本発明に係る第１実施形態の分配器の概略構成図。図３は本発明に係る第２実施形態の分配器の概略構成図。図４は第３実施形態の分配器の概略構成図である。図５は図４に示す第３実施形態を説明するための概略構成図である。図６は本発明に係る第４実施形態の分配器の概略構成図。図７は本発明に係る第５実施形態の分配器の概略構成図。図８，図９は本発明に係る電流通過阻止手段の異なる実施例である。図１０は本発明の分配器を説明するための一部を破断した斜視図である。尚，以下に示す本発明の実施例では，その説明を簡単にするため分配器を用いた例を示したが，特にこの実施例の限定されるものではなく分岐器であっても良い。
【００１８】
本発明に係る分配器を図１の概略構成図を用いて説明する。図１において２は入力端子，３，５は出力端子であり，６は分配器の回路部１０が設けられたプリント配線板である。本発明における回路部１０は，少なくとも分配回路１２と，入力側高周波／電源分離フィルタ１１と出力側高周波／電源分離フィルタ１３・１５と電流通過線路１６からなる電流通過回路１７と，から構成されている。
【００１９】
入力側高周波／電源分離フィルタ１１は，入力端子２と分配回路１２の入力端１２ａとの間に有って，高周波信号を通過させると共に，出力端子３または５から電流通過線路１６を介して電源入出力端１１ａに流れてきた電流を，入力端子１１に送出できるように，コンデンサ２１と高周波信号阻止用コイル２２とから構成されている。この第１実施形態では，１は例えばセラミックコンデンサーであり，高周波阻止用コイル２２は例えばフェライトにポリウレタン線を巻き回してなるアキシャルタイプの強磁コイルで構成されている。
【００２０】
分波回路１２は，例えばフェライトからなるトランスにポリウレタン線を巻き回してなるマッチングトランスと分配トランスから構成したものであリ，入力端子２から入力された高周波信号を分配して出力端子３及び５に出力するか，若しくは，出力端子３及び５から入力された信号を混合して入力端子２に出力するものである。そして，この分配回路１２の分配出力端１２ｂ及び１２ｃは，それぞれ出力側高周波／電源分離フィルタ１３及び１５を介して出力端子３及び５に接続されている。
【００２１】
この出力側高周波／電源分離フィルタ１３及び１５は，分配回路１２の分配端子１２ｂ及び１２ｃと出力端子３及び５との間に有って，高周波信号を通過させると共に，出力端子３若しくは５から入力された電流を分離して電源入出力端１３ａ若しくは１５ａに出力するように，それぞれコンデンサ２３・２５と高周波信号阻止用コイル２４・２６とから構成されている。そして，前記入力側高周波／電源分離フィルタ１１の電源出力端１１ａと出力側高周波／電源分離フィルタ１３及び１５の電源出力端１３ａ及び１５ａとの間は，プリント配線板に設けられたプリント配線パターンをエッチング成形してなる電流通過線路１６で接続されることで電流通過回路１７が構成されている。
図１に示す１８及び１９はダイオードであり，第１実施形態として示されている全端子電流通過回路付きの分配器における電流の通過経路（出力端子３から入力端子２，出力端子５から入力端子２）を制限するためのものである。尚，本発明の実施例においては，全端子電流通過回路付きの分配器の例を示したが，１端子電流通過回路付きであっても良い。この場合，ダイオードは特に必要無い。
【００２２】
ここで本発明の実施例に係る電流通過回路１７について更に詳しく説明する。本発明に係る分配器は，入力端子２側に接続されたケーブルや機器の設置条件の不適合や，悪戯等が原因で発生した短絡事故によって，分配器が発熱したり，それによってケースが熱変形したりすることを防止することができるものであり，そのため，前記電流通過回路１７に，電流通過阻止手段３０を備えさせているの特徴である。
この電流通過阻止手段３０は，所定電流，若しくは，所定電流より低い電流が流れるときはその電流を通過し，該所定電流より高い遮断電流が流れるときは遮断するものであり，図１に示す例では，電流通過阻止手段３０は電流通過回路１７を構成する電流通過線路１６に介在させた例が示されている。
この電流通過阻止手段３０は，前記遮断電流が流れるときに回路を遮断するように構成されておれば何れの手段であっても良いが，例えば電流通過阻止手段３０として回路保護用であるチップタイプのヒューズを用いれば，それを追加するための占有面積も小さくて済み，回路部が形成されたプリント配線板を大きくすることが無いなど，簡単且つ安価に短絡事故による過電流を防止可能な電流通過回路付の分配器を提供するといった本発明の目的に応じ，適宜にその形態を決めればよい。以下には，過電流防止用の特別な素子を揃えなくとも電流通過阻止手段３０を構成することができる具体的な例を挙げ，それぞれについて詳しく説明する。
【００２３】
（第１実施形態）
本発明の第１実施形態として図２を参照して説明する。尚，以下の説明では，図１に示す全端子電流通過回路付き分配器と同様の構成要素については同一符号を付与し，詳細な説明は省略する。
【００２４】
この第１実施形態では，電流通過阻止手段は図２における３１で示されているように，電流通過回路１７を構成する電流通過線路１６に介設されている。この電流通過阻止手段３１は，所定電流，若しくは，所定電流より低い電流が流れるときはその電流を通過し，該所定電流より高い遮断電流が流れるときは断線する金属の細線３１ａをコイルの形状に形成したものである。この金属細線３１ａは，分配器の電流通過回路１７が有する定格容量以下の電流を通過し，定格容量を越えて遮断電流が流れたときは断線するように，その長さや線径は適宜に決める。しかし，例えば，一般的に売られているアキシャルタイプのチョークコイルのように，リード線つきのフェライトにポリウレタン線等の金属細線３１ａを巻き回すようにした構成とすれば，金属細線が細くとも，電流通過阻止手段３０としてのコイルのプリント配線板６への装着が簡単且つ容易にできる。また，この例では電流通過阻止手段３０の実装時にプリント配線板に対してコイル部分が密着しないような構成にしたり，密着したりしないように装着すれば，コイルに発生する熱がプリント配線板の逃げることが無いので，応答速度の早い電流通過阻止手段３１が構成できる。
【００２５】
（第２実施形態）
次に本発明の第２実施形態として図３を参照して説明する。この第２実施形態においても，電流通過阻止手段は図３における３２で示されているように，電流通過回路１７を構成する電流通過線路１６に介設されている。この電流通過阻止手段３２は，第１実施形態における電流通過阻止手段３１の金属細線３１ａを，電流通過線路１６としてのプリント配線パターンの一部を使ってエッチングによって形成したものであリ，所定電流，若しくは，所定電流より低い電流が流れるときはその電流を通過し，該所定電流より高い遮断電流が流れるときは断線する金属の細線としてのプリント配線パターン３２ａを使って構成されている。このプリント配線パターン３２ａは，分配器の電流通過回路１７が有する定格容量以下の電流を通過し，定格容量を越えた遮断電流が流れたときは断線するようにその長さや幅及び形状は適宜に決める。この実施形態の構成すれば，金属細線３２ａはプリント配線板６のパターンエッチング成形と同時に形成できるので，余分な部品が必要なくコストが安価に構成できる。
【００２６】
（第３実施形態）
次に本発明の第３実施形態として図４及び図５を参照して説明する。この第３実施形態においても，電流通過阻止手段は図における３３で示されているように，電流通過回路１７を構成する電流通過線路１６に介設されている例である。この電流通過阻止手段３３は，第２実施形態における電流通過阻止手段３２と同様に，その構成要素である金属細線３３ａは，プリント配線板６のプリント配線パターンを用いてエッチング形成されているのであるが，本実施形態では，電流通過阻止手段３３の金属細線３３ａを形成する部分が，電流通過線路１６のプリント配線パターンの一部を使って形成したものでは無く，プリント配線板６の図における左下の余剰部分のプリント配線パターンを使って形成したものである。
【００２７】
ここで図５を用いて更に説明する。この実施形態ではプリント配線板６の左下部分に２つの電流通過阻止手段３３が形成されている。この電流通過阻止手段３３が形成されているプリント配線板７は，プリント配線板６とミシン目で接続するように金型により成形されており，容易に分離することができるようになっている。図５における７ａ，７ｂは電流通過阻止手段３３の金属細線としてのプリント配線パターン３３ａとプリント配線板６に形成された取付孔６ａ，６ｂとを接続する例えばジャンパー線のような接続部材である。また，電流通過線路１６の途中に備えられた１６ａ，１６ｂは，電流通過阻止手段３３を受け入れるための例えばコネクタなどの接続手段である。これらの部品は前記分配回路１２などと一緒に半田ディップ等の手段によってプリント配線板に対して組み付けが行われる。そして組み付けが完了したなら，プリント配線板７をプリント配線板６から切り起こすと共に，ジャンパー線７ａ，７ｂをニッパー等で適宜な長さに切断することでプリント配線板６の回路部１０と電流通過阻止手段３３が完成する。このように完成した電流通過阻止手段３３は，図４に良く示されるように，電流通過阻止手段３３に備えたリード線７ａ，７ｂを前記コネクタ１７ａ，１７ｂに挿着することで電流通過阻止手段３３の回路部１０への取り付けが完了し，電流通過回路１７が電流通過可能となる。
【００２８】
このように，本発明の実施形態は，前記第２実施形態と同様に，電流通過阻止手段３３はプリント配線板６にエッチングによって形成するので簡単且つ安価に形成できるのであるが，上述の第２実施形態に比べ電流通過阻止手段３３はプリント配線板６に対して着脱自在に形成されており，しかも，電流通過阻止手段３３が２つ形成されているので，例えば１つ目を主たる電流通過阻止手段３３として使っても，残りを予備の電流通過阻止手段とすることができ，利便性を更に向上させることができるのである。尚，この実施形態では２つの電流通過阻止手段３３を形成した例を示したが，特にこの実施例に限定されるものではなく，例えば電流通過阻止手段３３は１つだけ形成しても良いし，２つより多く形成しても良い。また，本発明の実施形態では電流通過阻止手段３３を同じプリント配線板６から形成した例を示したが，これとは別の電流通過阻止手段専用のプリント配線板によって多数の電流通過阻止手段３３を同時に形成するようにしても良い。
【００２９】
（第４実施形態）
本発明の第４実施形態は，上述の例とは変わって電流通過阻止手段が前記電流通過回路１７を構成する入力側高周波／電源分離フィルタ１１に形成されたものであリ，詳しくは，入力側高周波／電源分離フィルタ１１を構成する高周波阻止用コイルを電流通過阻止手段としても使おうとするものである。つまり，例えばアキシャルタイプの高周波阻止用コイルを前記金属細線で形成して，遮断電流が流れたら該金属細線が断線するように構成するか，高周波阻止用コイルをプリント配線板６のプリント配線パターンの一部を使って形成し，しかもその金属細線としてのパターンが，遮断電流が流れることで断線するように構成したものである。
【００３０】
これらの内，図６にはアキシャルタイプの高周波阻止用コイルを使うのをやめて，その代わりに高周波阻止用コイル兼電流通過阻止手段３４をプリント配線板６のプリント配線パターンの一部を使って形成した例が示されている。この実施形態ではプリント配線板の好適な位置のパターンをエッチング形成することでプリント配線パターン３４ａが形成されている。このパターン３４ａは，高周波信号が電流通過回路に流れるのを阻止するばかりでなく，所定電流，若しくは，所定電流より低い電流が流れるときはその電流を通過し，該所定電流より高い遮断電流が流れるときは断線する金属の細線として動作するように構成されている。これも，高周波信号を阻止すると共に，分配器の電流通過回路１７が有する定格容量以下の電流を通過し，遮断電流が流れたときは断線するようにその長さや幅及び形状は適宜に決めればよい。この実施形態の構成によれば，金属細線３４ａはプリント配線板６のパターンエッチング成形と同時に形成できるので，コストが安価にできる。また，高周波阻止コイルが必要でないのでコストが更に安価になる。尚，本実施形態における電流通過回路１７は，全ての出力端子から入力端子に向かって通過する構成となっているため，高周波阻止用コイル兼電流通過阻止手段３４を入力側に備えさせることで，何れの出力端子から電流か供給されても効果が有るように構成したが，出力側に設けても良し，また，両方に設けても良い。
【００３１】
（第５実施形態）
本発明の第５実施形態として図７を参照して説明する。この第５実施形態は，前記第４実施形態と同様に，電流通過阻止手段が電流通過回路１７を構成する入力側高周波／電源分離フィルタ１１に介設されたものであり，詳しくは，入力側高周波／電源分離フィルタ１１を構成する高周波阻止用コイルを電流通過阻止手段としても使おうとするものである。この第５実施形態における高周波阻止用コイル兼電流通過阻止手段３５は，第４実施形態における高周波阻止用コイル兼電流通過阻止手段３４とは異なり，その構成要素である金属細線３５ａは，プリント配線板６の図における左下の余剰部分のプリント配線パターンを使って形成したものである。
【００３２】
ここで図７を用いて更に説明する。この実施形態ではプリント配線板６の左下部分に２つの高周波阻止用コイル兼電流通過阻止手段３５が形成されている。この高周波阻止用コイル兼電流通過阻止手段３５が形成されているプリント配線板８は，プリント配線板６とミシン目で接続するように金型により成形されており，容易に分離することができるようになっている。図７における８ｃ，８ｄは高周波阻止用コイル兼電流通過阻止手段３５の金属細線としてのプリント配線パターン３５ａとプリント配線板６に形成された取付孔６ｃ，６ｄとを接続する例えばジャンパー線のような接続部材である。また，入力側高周波／電源分離フィルタに備えられた１１ｃ，１１ｄは，高周波阻止用コイル兼電流通過阻止手段３５を受け入れるための例えばコネクタ等の接続手段である。これらの部品は前記分配回路１２などと一緒に半田ディップ等の手段によってプリント配線板に対して組み付けが行われる。そして組み付けが完了したなら，プリント配線板８をプリント配線板６から切り起こすと共に，ジャンパー線８ｂ，８ｃをニッパー等で適宜な長さに切断することでプリント配線板６の回路部１０と電流通過阻止手段３５が完成する。このように完成した高周波阻止用コイル兼電流通過阻止手段３５は，図７に良く示されるように，リード線８ｃ，８ｄを前記コネクタ１１ｃ，１１ｄに挿着することで高周波阻止用コイル兼電流通過阻止手段３５の回路部１０への取り付けが完了する。
【００３３】
このように，本発明の第５実施形態では高周波阻止用コイル兼電流通過阻止手段３５はプリント配線板６にエッチングによって形成するので簡単且つ安価に形成できるのであるが，上述の第４実施形態に比べ高周波阻止用コイル兼電流通過阻止手段３５がプリント配線板６に対して着脱自在に形成されており，しかも，高周波阻止用コイル兼電流通過阻止手段３５が２つ形成されているので，例えば１つ目を主たる高周波阻止用コイル兼電流通過阻止手段３５として使っても，残りを予備の高周波阻止用コイル兼電流通過阻止手段３５とすることができるため，利便性を更に向上させることができる。尚，この実施形態では２つの高周波阻止用コイル兼電流通過阻止手段３５を形成した例を示したが，特にこの実施例に限定されるものではなく，例えば高周波阻止用コイル兼電流通過阻止手段３５は１つだけ形成しても良いし，２つより多く形成しても良い。また，本発明の実施形態では電流通過阻止手段３３を同じプリント配線板６から形成した例を示したが，これとは別の高周波阻止用コイル兼電流通過阻止手段専用のプリント配線板によって多数の高周波阻止用コイル兼電流通過阻止手段３５を同時に形成するようにしても良い。
【００３４】
以上，本発明に係る電流通過阻止手段を備えた電流通過回路付きの分配器の例を示したが，ここでは電流通過阻止手段のその他の実施例について説明する。尚，説明を簡単にするために，第２実施形態における電流通過阻止手段３２，つまり，電流通過阻止手段３２の金属細線３２ａを，電流通過線路１６としてのプリント配線パターンの一部を使って形成した例を基に説明する。
図８及び図９はそれぞれ金属細線としてのプリント配線パターンを複数段備えた電流通過阻止手段の例が示されている。尚，以下の説明では説明を簡単に行うため，プリント配線パターンを直列に２段備えた電流通過阻止手段の例を示して説明する。
【００３５】
図８には略同じ遮断電流を有するプリント配線パターン３７ａ−１，３７ａ−２を電流通過線路１６に直列に備えた電流通過阻止手段３７の例が示されている。この例では，プリント配線パターン３７ａ−１，３７ａ−２と電流通過線路１６との接続点には，例えばコネクタなどからなる接続手段１６ａ，１６ｂ及び１６ｃ，１６ｄが設けられており，該コネクタに対して着脱自在に構成された図の９で示されるショートバーを挿着することで，プリント配線パターンを短絡することができるように構成されている。
本発明の実施例では図８（ａ）で示すように，先ず一方のプリント配線パターン３７ａ―１を短絡するように，ショートバー９がコネクタ１６ａ，１６ｂに対して挿着されており，プリント配線パターン３７ａは予備となる。この状態で，例えば電流通過回路１７に過電流が流れれば，ショートバー９で短絡されていない主たるプリント配線パターン３７ａ―２が断線する。このような場合は先ずその原因を取除き，次に図８（ｂ）に良く示されるように，ショートバー９をコネクタ１６ａ，１６ｂからコネクタ１６ｃ，１６ｄに差し替えれば，電流通過阻止手段としての主たるプリント配線パターン３７ａ―２を備えた電流通過回路１７として正常に復活させることができるのである。つまり，ショートバー９と複数のプリント配線パターンを備えることで，予備のプリント配線パターンつきの電流通過阻止手段３７が形成できるのである。
【００３６】
図９にはそれぞれ異なる遮断電流を有するプリント配線パターン３８ａ，３８ｂを電流通過線路１６に直列に備えた電流通過阻止手段３８の例が示されている。この例では，プリント配線パターン３８ａ，３８ｂと電流通過線路１６との接続点には，例えばコネクタなどからなる接続手段１６ａ，１６ｂ及び１６ｃ，１６ｄが設けられており，該コネクタに対して着脱自在に構成された図の９で示されるショートバーを挿着することで，プリント配線パターンを短絡することができるように構成されている。
本発明の実施例では図９（ａ）で示すように，ショートバー９は付属品として用意されたものであり，正常な動作状態にあっては，ショートバー９はコネクタに対して挿着されていない。この状態で，例えば電流通過回路１７に過電流が流れれば，先ず遮断電流が低い（つまり，図の例では線幅が細い）プリント配線パターン３８ａが断線する。このような場合は先ずその原因を取除いた後に，図９（ｂ）の示すようにショートバー９をコネクタ１６ａ，１６ｂに挿着することで，断線したプリント配線パターン３８ａが短絡され，これによって電流通過阻止手段としてのプリント配線パターン３８ｂを備えた電流通過回路１７として正常に復活させることができるのである。つまり，この例でもショートバー９と複数のプリント配線パターンを備えることで，予備のプリント配線パターン付きの電流通過阻止手段３８が形成できるのである。
【００３７】
次に，このように構成された過電流防止機能のついた電流通過回路付き分配器の具体的な例について図１０を用いて説明する。図１０は本発明の分配器を説明するための一部を破断した斜視図である。図において１はケース本体である。２７は電流通過回路を流れる電流の状態表示を行うための表示手段であり，本発明の実施例では発光ダイオード（以下，ＬＥＤと記載する）で構成している。この表字手段の表示の例として，電流通過回路１７に定常電流が流れているときはＬＥＤが所定の色（例えば緑色）に点灯し，定常状態を超えるような電流が流れるときはＬＥＤが所定の色から違う色（例えば橙色）に変化する。そして，電流通過阻止手段が遮断した時はＬＥＤが消灯するように構成することで電流通過の状態が分かりやすくすることができる。さらに，この表示手段の状況をケース本体１の外周から見られるように構成することによって，電通異常が簡単に確認できるようになるのである。
また，図に示される２９は視認用部材であり，電流通過阻止手段３２の状態をケース本体１の外周より見ることができるようにするために，ケース本体１に形成された確認用窓２８に嵌め込まれた，例えば，透明な樹脂などで金型等により成形されたものである。これによって，電流通過阻止手段３２のプリント配線パターン３２ａ等の状態が簡単かつ容易に確認できる，利便性の良い分配器が提供できる。尚，図１０には，発光ダイオード２７と視認要部材２９を備えた例を示したが，それぞれどちらか一方だけ備えさせても良いなど，実施例に限定されるものではない。
尚，本発明は上記実施の形態に限定されるものではなく，本発明の趣旨を逸脱しない範囲で各部の構成を適宜に変更して実施することも可能である。
【図面の簡単な説明】
【００３８】
【図１】本発明に係る分配器を説明するための概略構成図。
【図２】本発明に係る第１実施形態の分配器の概略構成図。
【図３】本発明に係る第２実施形態の分配器の概略構成図。
【図４】本発明に係る第３実施形態の分配器の概略構成図。
【図５】図４に示す第３実施形態を説明するための概略構成図。
【図６】本発明に係る第４実施形態の分配器の概略構成図。
【図７】本発明に係る第５実施形態の分配器の概略構成図。
【図８】本発明に係る電流通過阻止手段の異なる実施例。
【図９】本発明に係る電流通過阻止手段の異なる実施例。
【図１０】本発明の分配器を説明するための一部を破断した斜視図。
【符号の説明】
【００３９】
１…ケース本体，２…入力端子，３…出力端子，５…出力端子，６…プリント配線板，７…電流通過阻止手段用のプリント配線板，８…，電流通過阻止手段用のプリント配線板，９…ショートバー，１０…回路部，１１…入力側高周波／電源分離フィルタ，１１ａ…電源入出力端，１２…分配回路，１３…出力側高周波／電源分離フィルタ，１３ａ…電源入出力端，１５…出力側高周波／電源分離フィルタ，１５ａ…電源入出力端，１６…電流通過線路，１７…電流通過回路，１８…ダイオード，１９…ダイオード，２０…，２１…コンデンサ，２２…高周波阻止用コイル，２３…コンデンサ，２４…高周波阻止用コイル，２５…コンデンサ，２６…高周波阻止用コイル，２８…表示手段（発光ダイオード），２９…開口窓，３０・３１・３２・３３・３４・３５・３６・３７・３８…電流通過阻止手段。
【図１】
2009105002.tif 000003
【図２】
2009105002.tif 000004
【図３】
2009105002.tif 000005
【図４】
2009105002.tif 000006
【図５】
2009105002.tif 000007
【図６】
2009105002.tif 000008
【図７】
2009105002.tif 000009
【図８】
2009105002.tif 000010
【図９】
2009105002.tif 000011
【図１０】
2009105002.tif 000012